(57)【要約】【課題】  籾殻の有効利用を図りつつ、例えば、ビルの屋上を容易に緑化することのできる籾殻緑化基板を提供する。【解決手段】  植物の種子や苗などを植え付ける基板であって、籾殻のみを接着剤と混合して略板状に固めた基板本体２で形成する。また、基板本体２に、種子や苗などと栽培土Ｃを入れる孔部３を形成する。さらに、基板本体２の下に、人工芝や簀の子などの土台４を設ける。さらに、屋外またはビルの屋上に敷設する。基板本体２に、種子や苗などと栽培土Ｃを入れる孔部３を形成し、複数枚をそれら孔部３を合致させた状態で上下に重ねて使用可能にする。【選択図】    図２
2005143363.tif 000002
【特許請求の範囲】
【請求項１】
植物の種子や苗などを植え付ける基板であって、籾殻のみを接着剤と混合して略板状に固めた基板本体で形成したことを特徴とする籾殻緑化基板。
【請求項２】
前記基板本体に、種子や苗などと栽培土を入れる孔部を形成したことを特徴とする請求項１に記載の籾殻緑化基板。
【請求項３】
前記基板本体に、種子や苗などと栽培土を入れる孔部を形成し、複数枚をそれら孔部を合致させた状態で上下に重ねて使用可能にしたことを特徴とする請求項１に記載の籾殻緑化基板。
【請求項４】
前記基板本体の下に、人工芝や簀の子などの土台を設けたことを特徴とする請求項１乃至３のうちいずれか一つに記載の籾殻緑化基板。
【請求項５】
屋外またはビルの屋上に敷設されるものであることを特徴とする請求項１乃至４のうちいずれか一つに記載の籾殻緑化基板。
【発明の詳細な説明】
【技術分野】
【０００１】
本発明は、例えば、ビルの屋上を緑化するために、主として籾殻で成形した、植物の種子や苗を植えるための基板に関するものである。
【背景技術】
【０００２】
籾米の殻である籾殻は、その多くが無駄に廃棄される。従って、この籾殻を有効利用することができれば資源の活用化につながる。
【０００３】
一方、特に都市圏ではコンクリート建造物であるビルが乱立し、植物の緑が枯渇している。従って、こうしたビルの屋上等に植物を繁茂させ、緑化を図ることが望まれる。
【０００４】
籾殻を利用した建築用部材や緑化版は知られているが（特許文献１，２，３，４，５，６，７，８，９）、単純に籾殻のみを使用し、植物の種子や苗を植えるための基板はない。
【特許文献１】特開２００３−３５００７号公報
【特許文献２】特開２００３−１３５１２号公報
【特許文献３】特開平１１−１５９０５５号公報
【特許文献４】特開平６−８９６８号公報
【特許文献５】特開２００３−５２２４０号公報
【特許文献６】特開２００３−３８０２８号公報
【特許文献７】特開２００２−２３８３４９号公報
【特許文献８】特開２００１−２００５４１号公報
【特許文献９】特開平９−３９０６号公報
【発明の開示】
【発明が解決しようとする課題】
【０００５】
また、大量の籾殻が無駄に捨てられると、ゴミ処理問題や環境問題の要因となり、植物の緑に欠けると大気汚染や地球の温暖化を助長する原因ともなる。
【０００６】
そこで、本発明の目的とするところは、籾殻の有効利用を図りつつ、例えば、ビルの屋上を容易に緑化することのできる籾殻緑化基板を提供することにある。
【課題を解決するための手段】
【０００７】
上記の目的を達成するために、本発明の請求項１に記載の籾殻緑化基板（１）は、植物（Ｐ）の種子や苗などを植え付ける基板であって、籾殻のみを接着剤と混合して略板状に固めた基板本体（２）で形成したことを特徴とする。
【０００８】
また、請求項２に記載の発明は、前記基板本体（２）に、種子や苗などと栽培土（Ｃ）を入れる孔部（３）を形成したことを特徴とする。
この孔部（３）は、基板本体（２）を貫通するものであっても良いし、貫通しないで底壁を有するものであっても良い。
【０００９】
さらに、請求項３に記載の発明は、前記基板本体（２）に、種子や苗などと栽培土（Ｃ）を入れる孔部（３）を形成し、複数枚をそれら孔部（３）を合致させた状態で上下に重ねて使用可能にしたことを特徴とする。
【００１０】
またさらに、請求項４に記載の発明は、前記基板本体（２）の下に、人工芝や簀の子などの土台（４）を設けたことを特徴とする。
【００１１】
また、請求項５に記載の発明は、屋外またはビルの屋上に敷設されるものであることを特徴とする。
【００１２】
なお、カッコ内の記号は、図面および後述する発明を実施するための最良の形態に記載された対応要素または対応事項を示す。
【発明の効果】
【００１３】
本発明の請求項１に記載の籾殻緑化基板によれば、籾殻のみを接着剤と混合して略板状に固めて形成したものであるため、その多くが廃棄される籾殻を有効に利用することができ、ゴミ処理問題や環境問題の改善に貢献する。
また、この籾殻緑化基板に植物の種子や苗などを植え付けることによって、土のないところでも植物を繁茂させることができ、緑化を効果的に推進することができる。緑化によって、大気汚染や地球温暖化現象を防止することができる。
さらに、籾殻は軽量で、透水性および保水性に富むので、取扱いが容易であり、植物を育てる基板としてきわめて優れる。従って、あらゆる場所で植物を繁茂させることができる。また、籾殻は、高い断熱効果を有するので省エネを図ることができる。
また、籾殻のみを使用しているため、籾殻の部分に、例えば雑草等の種が飛来しても容易に発芽することはない。
【００１４】
また、請求項２に記載の発明によれば、請求項１に記載の発明の作用効果に加えて、基板本体に、種子や苗と栽培土を入れる孔部を形成したので、栽培土に含まれる栄養分によって植物を良好に生育させることができ、さらに効果的に緑化を推進することができる。なお、この孔部には、種子や苗の他に、生育した植物を植えることもできる。
【００１５】
さらに、請求項３に記載の発明によれば、請求項１に記載の発明の作用効果に加えて、基板本体に、種子や苗などと栽培土を入れる孔部を形成し、複数枚をそれら孔部を合致させた状態で上下に重ねて使用可能にしたので、孔部の深さを大きくすることができ、その結果、大きな苗や、生育した植物を植えることができる。
【００１６】
またさらに、請求項４に記載の発明によれば、請求項１乃至３に記載の発明の作用効果に加えて、基板本体の下に、人工芝や簀の子などの土台を設けたので、透水性をさらに高めることができ、植物を根腐れ等の被害から守ることができる。
【００１７】
また、請求項５に記載の発明によれば、請求項１乃至４に記載の発明の作用効果に加えて、屋外またはビルの屋上に敷設されるものであるので、植物の緑に乏しい場所の緑化を効果的に図ることができる。
【発明を実施するための最良の形態】
【００１８】
図１および図２を参照して本発明の実施形態に係る籾殻緑化基板１について説明する。図１は本発明の実施形態に係る籾殻緑化基板１を示す斜視図であり、図２はその籾殻緑化基板１を複数横に並べた使用状態を示す斜視図である。
【００１９】
この籾殻緑化基板１は、植物Ｐの種子や苗などを植え付ける基板であって、籾殻のみを接着剤と混合して略板状に固めた基板本体２で形成したものである。
この基板本体２には、種子や苗などと栽培土Ｃを入れる孔部３を、基板本体２を貫通させた形態で形成している。また、当該基板本体２の下には、人工芝である土台４を設けている。なお、この籾殻緑化基板１は、ビルの屋上に敷設している。
【００２０】
本実施形態に係る籾殻緑化板は、籾殻のみを接着剤と混合して略板状に固めて形成したものであるため、籾殻の有効利用を図ることができ、ゴミ処理問題や環境問題の改善に貢献する。また、この籾殻緑化基板１に植物Ｐの種子や苗などを植えることによって、ビルの屋上に植物Ｐを繁茂させて緑化を図ることができる。
【００２１】
この籾殻緑化基板１の成形材料である籾殻は、軽量であり、透水性や保水性に富むので、運搬などの取扱いが容易であると共に、植物Ｐを育てる基板として優れている。
従って、ビルの屋上でも植物Ｐを青々と生育させることができる。
また、基板本体２に、種子や苗と栽培土Ｃを入れる孔部３を形成しているので、栽培土Ｃの栄養分によって植物Ｐを良好に生育させることができる。
さらに、基板本体２の下に、人工芝の土台４を設けているので、透水性をさらに高めて植物Ｐを根腐れ等の被害から守ることができる。
【００２２】
なお、本発明に係る籾殻緑化基板１は、図３に示すように、複数枚をその孔部３を合致させた状態で上下に重ねて使用することもできる。これにより孔部３の深さを大きくすることができるので、大きな苗や、生育した植物を植えることができる。
【００２３】
また、本発明に係る籾殻緑化基板１は、基板本体２に孔部３を形成することが好ましいが、孔部３を形成しないで、基板本体２の上に直接、栽培土Ｃと種子をまくことによって植物Ｐを発育させることもできる。
【図面の簡単な説明】
【００２４】
【図１】本発明の実施形態に係る籾殻緑化基板を示す斜視図である。
【図２】図１に示す籾殻緑化基板を、複数枚、横に並べた使用状態を示す斜視図である。
【図３】図１に示す籾殻緑化基板を、複数枚、上下に重ねた使用状態を示す斜視図である。
【符号の説明】
【００２５】
１    籾殻緑化基板
２    基板本体
３    孔部
４    土台
Ｐ    植物
Ｃ    栽培土
【図１】
2005143363.tif 000003
【図２】
2005143363.tif 000004
【図３】
2005143363.tif 000005